(57)【特許請求の範囲】
【請求項１】
その中で保管される１つまたは複数のアイテムを受けるための容器キャビティを有するチャイルドレジスタント容器であって、
前記容器キャビティは、容器の開状態と容器の閉状態との間でヒンジ式に動くために一方の端部のところで互いにヒンジ式に接続される一対の蓋によって画定され、
前記蓋の一方または両方は、前記容器の閉状態に位置決めされるときに前記キャビティを画定するために皿形の本体を有し、
前記容器の閉状態において前記蓋を解放可能にロックするための一次ロック手段は、他方の蓋の上にある協働する第２のロック組立体にロック式に係合される一方の蓋の上に第１のロック組立体を含み、
前記第１のロック組立体および前記第２のロック組立体の係合解除を手動で作動させるための一次ロック作動手段は、前記一方の蓋の本体内に形成される外側上部が開いている、隣り合って位置決めされた一対のポケットを含み、
前記ポケットの各々は、他方のポケットの前記撓み可能な側壁に隣接して位置決めされる一方のポケットの前記撓み可能な側壁と共に、少なくとも部分的において前記ポケットに対してロック位置からロック解除位置まで内側に弾性的に撓むことができるポケット側壁を有し、
前記ロック位置にある前記ポケット側壁は、前記第１のロック組立体および前記第２のロック組立体のロックによる係合を維持し、前記ポケット側壁が前記ロック解除位置まで移動することにより前記第１のロック組立体および前記第２のロック組立体が外されてそれにより前記蓋が前記容器の開状態まで移動され得るようになり、
前記ポケットは、前記ポケット側壁をそのロック解除位置で撓ませるために作業者の指が前記ポケットに入るのを可能にするような形状および大きさであり、
前記一対の側壁の間の空間は、それらの間に前記容器に収容されるべき物品が配置され、かつ前記物品と前記側壁との間の隙間空間は、前記側壁の内側への撓みのためのリミットストップとして前記物品が機能するように提供されていることを特徴とするチャイルドレジスタント容器。
【請求項２】
前記撓み可能な側壁の位置は弾性的に撓み可能な舌部によって形成されることを特徴とする請求項１に記載の容器。
【請求項３】
前記第１のロック組立体および前記第２のロック組立体は、ロック式に相互係合される第１の協働するフック形状のラッチ部材および第２の協働するフック形状のラッチ部材をそれぞれ含み、前記第１のラッチ部材は、前記協働する第２のラッチ部材に対して移動可能となるように前記撓み可能なポケット側壁の各々の上に取り付けられ、前記第２のラッチ部材は他方の蓋の上に固定されて取り付けられることを特徴とする請求項１または２に記載の容器。
【請求項４】
前記蓋を前記容器の閉状態に解放可能にロックする二次ロック手段を含み、前記二次ロック手段が前記一次ロック手段から独立しており、それにより、前記蓋を前記容器の開位置まで移動させるのを可能にするために前記一次ロックおよび前記二次ロックの両方が独立して操作される必要があることを特徴とする請求項１ないし３のいずれか一項に記載の容器。
【請求項５】
前記二次ロック手段は、前記一次ロック手段と独立しており、前記操作が前記容器を開けるために両手を使用することが必要であることを特徴とする請求項４に記載の容器。
【請求項６】
各蓋は、垂直に立って周囲に延在する側壁によって囲まれる底壁を含み、各蓋の側壁が、前記蓋が前記容器の閉位置にあるときに手動で当接される頂縁部を有することを特徴とする前記請求項１ないし５のいずれか一項に記載の容器。
【請求項７】
前記頂縁部の各々は、一方の側壁上に外側に延在するフランジを画定しさらに他方の側壁上に内側に延在するフランジを画定するように、段がつけられており、前記外側フランジおよび内側フランジが、前記蓋が前記蓋の間での相対的な横方向の移動に抵抗するように協働するために前記容器の閉位置にあるときに、隣り合って位置決めされることを特徴とする請求項６に記載の容器。
【請求項８】
各蓋は、前記蓋の底壁に対して前記蓋の周囲側壁が内側に撓むのに抵抗するように構成された複数の横方向に延在する補強リブを備えることを特徴とする請求項６または７に記載の容器。
【請求項９】
各蓋において、１つまたは複数の前記補強リブは、前記周囲側壁の前記頂縁部を超えて突出する側部突出部を有し、各側部突出部が、前記蓋の間での相対的な横方向の変位に抵抗するために、前記容器の閉位置にあるときに前記対向する蓋の前記周囲側壁の内側面に面が接触して位置決めされることを特徴とする請求項８に記載の容器。
【請求項１０】
１つまたは両方の蓋の１つまたは複数の補強リブは、物品を前記容器内に収容させるように位置決めして取り付けるためのクレードルを画定するように適合されることを特徴とする請求項８または９に記載の容器。
【発明の詳細な説明】
【技術分野】
【０００１】
本発明は、チャイルドレジスタント容器に関する。
【０００２】
詳細には、限定はしないが、本発明は、子供が摂取した場合に健康を害する可能性がある薬物を安全に収容することを意図されたチャイルドレジスタント容器に関する。
【発明の概要】
【０００３】
本発明の一態様によると、その中で保管される１つまたは複数のアイテムを受けるための容器キャビティを有するチャイルドレジスタント容器が提供され、容器キャビティは、容器の開状態と容器の閉状態との間でヒンジ式に動くために一方の端部のところで互いにヒンジ式に接続される一対の蓋によって画定され、上記蓋の一方または両方が、上記容器の閉状態に位置決めされるときに上記キャビティを画定するために皿形の本体を有し、上記容器の閉状態において蓋を解放可能にロックするための一次ロック手段が、他方の蓋の上にある協働する第２のロック組立体にロック式に係合される一方の蓋の上に第１のロック組立体を含み、第１のロック組立体および第２のロック組立体の係合解除を手動で作動させるための一次ロック作動手段が、上記一方の蓋の本体内に形成される外側上部が開いているポケット（ｅｘｔｅｒｎａｌｌｙ  ｏｐｅｎ  ｔｏｐｐｅｄ  ｐｏｃｋｅｔ）を含み、このポケットが、少なくとも部分的においてポケットに対してロック位置からロック解除位置まで外側に弾性的に撓むことができるポケット側壁を有し、上記ロック位置にあるポケット側壁が、上記第１のロック組立体および上記第２のロック組立体のロックによる係合を維持し、ポケット側壁が上記ロック解除位置まで移動することにより第１のロック組立体および第２のロック組立体が外されてそれにより蓋が容器の開状態まで移動され得るようになり、上記ポケットが、ポケット側壁をそのロック解除位置まで撓ませるために作業者の指がポケットに入るのを可能にするような形状および大きさである。
【０００４】
本発明の好適な実施形態によると、一次ロック作動手段は、他方のポケットの撓み可能な側壁に隣接して位置決めされる一方のポケットの撓み可能な側壁に隣り合わせて位置決めされる一対の上記ポケットを含む。
【０００５】
本発明の種々の態様を添付図面を参照しながら後で説明する。
【図面の簡単な説明】
【０００６】
【図１】閉状態で示される、本発明の第１の実施形態による容器を示す平面図である。
【図２】図１に示される容器を示す底面図である。
【図３】開状態で示されており鼻ディスペンサ（ｎａｓａｌ  ｄｉｓｐｅｎｓｅｒ）を収容している、図１の容器を示す平面図である。
【図４】鼻ディスペンサがない、図３に示される容器を示す平面図である。
【図５】図２の線Ｖ−Ｖに沿った断面図である。
【図６】本発明の第２の実施形態による容器を示す平面図である。
【図７】図６の線Ａ−Ａに沿った断面図である。
【図８】図６の線Ｂ−Ｂに沿った断面図である。
【図９】図６の線Ｃ−Ｃに沿った断面図である。
【図１０】図６に示される容器の側面図である。
【図１１】図６に示される容器を示す、下からみた平面図である。
【発明を実施するための形態】
【０００７】
本発明の第１の実施形態によるチャイルドレジスタント容器１０が図１から６に概略的に示されており、図示のために、容器１０は鼻ディスペンサ１２を収容するように適合される。鼻ディスペンサ１２は、子供が摂取した場合に健康を害する可能性があるような例えばオピオイド鎮痛薬（ｏｐｉｏｉｄ  ａｎａｌｇｅｓｉｃ  ｍｅｄｉｃｉｎｅ）などの危険な薬物を収容することができる。しかし、容器１０は、子供にとって害がある可能性がある別の「危険な」薬物または物品を収容するように適合され得ることを理解されたい。
【０００８】
容器１０は、ヒンジ１８によって互いにヒンジ式に接続される上側蓋１４および下側蓋１６を有する「クラムシェル」形状である。ヒンジ１８により、蓋１４、１６が図１および２に示されるような閉状態から図３および４に示されるような開状態までヒンジ式に移動することが可能となる。
【０００９】
各蓋１４、１６は、垂直に立った周囲壁１９によって囲まれる底壁１７によって画定される皿形状である。図示される実施形態では、各蓋１４、１６は細長い形状（例えば図４に見られる平面で見ると概して長方形）であり、各蓋１４、１６の一方の端部のところにヒンジ１８がある。
【００１０】
閉位置では、蓋１４、１６は互いに重なっており、それぞれの周囲壁１９の頂縁部３３が当接されている。蓋は、それらの間に、鼻ディスペンサ１２を収容するための完全に閉鎖された容器キャビティ２０を画定する。したがって、鼻ディスペンサ１２が容器キャビティ２０内に位置決めされると、鼻ディスペンサには手が届かなくなり、すなわち、鼻ディスペンサ１２へのアクセスは、容器１０をその開状態へと開けることによってのみ達成され得る。
【００１１】
好適には、ヒンジ１８の領域内の周囲壁１９は、閉じられているときに棚などの平坦表面上で容器１０が垂直に立つことができるようにするための脚部支持部１５を画定するように形成される。これは、使用されていないときにディスペンサ１２を垂直に保管するという選択肢を提供するために所望される。有利には、サポートフット１５は、周囲壁１９の比較的平らな部分１５ａによって画定され、この平らな部分は、好適には、支持表面に係合されるための外側リブ１５ｂを備える。
【００１２】
好適には、図５に示されるように、各周囲壁１９の頂縁部３３は、一方の壁１９上に内側周囲に延在するフランジ３４を画定しさらに他方の壁１９上に外側周囲に延在するフランジ３５を画定するように段がついている。閉状態では、フランジ３４、３５は隣り合うように位置決めされ、閉状態において蓋１４、１６が互いに対して横方向に移動するのに抵抗するために相互の止めとして機能するように協働する。
【００１３】
好適には、各蓋１４、１６は、蓋１４、１６の長さに沿って離間される横方向に延在する内部の補強リブ４０を備える。リブ４０は各蓋の構造を補強する働きをし、詳細には、底壁１７に対して周囲壁１９が内側に撓むのに対する抵抗力を提供する。
【００１４】
好適には、各蓋の補強リブ４０は、例えば適切な形状の凹部４１を設けることにより、各蓋の底壁１７および周囲壁１９から離れた関係で容器１０内に鼻ディスペンサ１２などの中身を明確に位置決めして取り付けるためのクレードルをまとめて画定するように適合される。したがって、キャビティ２０内に位置決めされると、鼻ディスペンサ１２は容器に対する動きに逆らって保持され、（例えば、容器が固い表面上に落下されたときに起こるような）容器１０の外側への衝撃による損傷から保護される。
【００１５】
好適には、各蓋１４、１６上の１つまたは複数の補強リブ４０は、その蓋１４、１６の周囲側壁１９の頂縁部３３を超えて突出する側部突出部４８を有する。側部突出部４８は、容器１０の閉状態では、対向する蓋１４、１６の周囲側壁１９の内側面に面が接触して位置決めされるように構成される。この構成により、容器１０の閉状態において、蓋１４、１６が相対的に横方向に変位されることに対する追加の抵抗力が提供され、それにより容器構造体の剛性が強化される。
【００１６】
閉位置にあるとき、蓋１４、１６は、ヒンジ１８を中心に蓋１４、１６が相対的に移動するのを防止するように働く一次ロック手段５０によって一体にロックされる。
【００１７】
ロック手段５０は、ヒンジ１８を中心に蓋１４、１６が開くのに高い抵抗力を提供するために、好適には、ヒンジ１８を有する端部と反対の、蓋１４、１６の端部に隣接して位置決めされる。
【００１８】
一次ロック手段５０は、蓋１４、１６を閉状態でロックされた状態に維持するために互いにラッチ係合される第１のラッチ組立体および第２のラッチ組立体を含む。第１のラッチ組立体は、下側蓋１６上に移動可能に取り付けられる一対のフック形状の第１のラッチ部材６６によって形成される。第２のラッチ組手体は、上側蓋１４上に固定して取り付けられる一対のフック形状の第２のラッチ部材６８によって形成される。
【００１９】
手動ロック作動手段（Ｍａｎｕａｌ  ｌｏｃｋ  ａｃｔｕａｔｉｏｎ  ｍｅａｎｓ）が、下側蓋１６の底壁１７内に形成される、外側上部が開いている隣り合う一対のポケット６０の形態で設けられる。各ポケット６０は、少なくともその一部分がポケットに対して外側に弾性的に撓むことができる側壁６２を有する。示される実施形態では、弾性的に撓むことができる側壁６２のその部分は舌部６３である。各舌部６３はその上に１つのフック形状のラッチ部材６６を備える。
【００２０】
容器の閉状態では、各第１のラッチ部材６６は、蓋１４に固定して取り付けられたフック形状の第２のラッチ部材６８にラッチ係合される。
【００２１】
協働ラッチ部材６６、６８は各ポケットの舌部６３を撓ませることにより手動で外れ得、このように撓むことにより、第１のラッチ部材６６が、協働する第２のラッチ部材６８との係合から外れて横方向に移動する。各ポケット６０は、舌部６３を撓ませるために作業者がポケット６０内に指を挿入するのを可能するような形状およびサイズである。
【００２２】
好適には、ポケット６０は隣り合うように構成され、それにより、一方のポケット６０の側壁６２が他方のポケット６０の側壁６２に隣接して配置されるようになる。このような構成は、この構成が、上側蓋１４をその開位置まで移動させるために作業者が上側蓋１４を握持するのを容易にするためのピンチンググリップ（例えば、親指とその他の指との間）を設けており、一方で同時に、作業者が側壁６２の舌部６３をロックが外された撓んだ位置で保持する、という点で有利である。
【００２３】
有利には、側壁６２間の空間は、鼻ディスペンサ１２のノズル１２ａがそれらの間に位置決めされ得るように、選択される。所定の隙間空間がノズル１２ａと側壁６２との間に残り、それにより、舌部６３がそれらのそれぞれのポケットの外側に撓むことが可能となる。有利には、この隙間空間は、ノズル１２ａが舌部６３の内側への撓みのためのリミットストップとして機能するのを可能にする。
【００２４】
好適には、ラッチ部材６６、６８は、側壁舌部６３を撓ませるために、蓋１４、１６がそれらの閉位置に向かって移動するときに相互に係合される協働カムフェース６９、７０を有し、それにより、蓋１４、１６が共に閉じられるときにラッチ部材６６、６８が自動的にラッチ係合される。
【００２５】
示した実施形態では、上側蓋１４は、下側蓋１６上に取り付けられる一対の管状突出部７７に伸縮自在に係合される突出部７６のような一対のシャフトを備える。突出部７６、７７は、蓋１４、１６が閉位置に向かって移動するときに、カムフェース６９、７０が係合される前に相互係合される。それにより、突出部７６、７７が蓋１４、１６を最終的な閉位置まで誘導し、ラッチ部材６６、６８が互いに係合されるときに蓋１４、１６が横方向に相対的に変位されることに抵抗するように機能する。突出部７６、７７は有利ではあるが、本発明に必須のものではない。
【００２６】
ロック作動側壁６２をポケット内に設けることは、側壁を偶然の撓み（容器が意図せずに開くことにつながる）から保護する働きをし、子供が誤って容器を開けにくくなる。加えて、ポケット６０は側壁６２を子供の目から実質的に隠し、子供が直観的に一次ロック手段を操作しにくくなる。
【００２７】
好適には、二次ロック手段８０が設けられる。二次ロック手段８０は、弾性的に撓むことが可能である舌部８４上に取り付けられる第３のラッチ部材８２を含み、これは上側蓋１４の外側に位置決めされる。固定されて協働する第４のラッチ部材８６が、第３のラッチ部材８２にロック式に係合されるために、下側蓋１６上に固定されて取り付けられる。二次ロック手段８０は、舌部８４を容器１０の内側に撓ませることによってロック解除される。
【００２８】
二次ロック手段８０が一次ロック手段５０から独立しており、したがって、蓋１４、１６を容器の開状態へと移動させるのを可能にするためには両方のロック手段が独立して操作される必要がある。この構成は、容器１０をその開状態まで開くためには作業者が両手を使用することが必要であり、そのため、子供が容器１０をより開けにくくなるという点で（容器を開けるために子供が両手を使用する必要があるという困難さのため）、有利である。
【００２９】
容器１０は、好適には、適切な弾性プラスチック材料から一部品で作られ、側壁舌部６３および舌部８４のために所望される程度の弾力性およびヒンジ１８のために所望される程度の屈曲性を有する。
【００３０】
次に図６から１１を参照すると、本発明の第２の実施形態による容器が全体として参照符号１００で示されている。容器１００は上で説明した容器１０と類似した構成の容器であり、同様の部品は各々の理解のために対応する参照符号が付されている。
【００３１】
容器１０と容器１００との違いは、容器１００内のヒンジ１８がダブルヒンジであること、すなわち、これが２つのヒンジ形成物１８ａを有することである。
【００３２】
別の違いは、容器１００が突出部７６、７７を有さないことである。
【００３３】
上の実施形態では、側壁６２は一部が弾性舌部６３によって形成される。側壁６２の全体が舌部の形態であってよく、または一次ロック５０を操作するために何らかの別の方法で弾性的に内側に撓むことができるように適合されていてよいことを理解されたい。例えば、壁６２はポケットを形成する壁の残りの部分と連続していてよいが、変形によって弾性的に撓むことができる。
【００３４】
容器１００では、側壁舌部６３は、容器１０内の舌部６３と比較して長さ方向に延在する。
【００３５】
上の実施形態では、２つのポケット６０が、内側に撓むことができる側壁６２を有するように設けられる。ポケット６０のうちの１つのみが撓み可能な側壁を備える必要があることが理解されよう（これは、一次ロック手段５０がこの一方のポケット６０内の一方の側壁６２によってのみ操作されることを意味する）。このような構成では、他方のポケット６０（内側に撓むことができる側壁を有さない）は選択的な特徴となる。
【００３６】
上の実施形態では、両方の蓋１４、１６は皿状の形態である。これが好適ではあるが、蓋のうちの一方が皿状でなくてもよく、例えば実質的に平坦であってもよいことを理解されたい。
【図１】
0005642711.tif 000002
【図２】
0005642711.tif 000003
【図３】
0005642711.tif 000004
【図４】
0005642711.tif 000005
【図５】
0005642711.tif 000006
【図６】
0005642711.tif 000007
【図７】
0005642711.tif 000008
【図８】
0005642711.tif 000009
【図９】
0005642711.tif 000010
【図１０】
0005642711.tif 000011
【図１１】
0005642711.tif 000012